(57)【要約】【課題】組付け作業性を向上させること。【解決手段】隣り合うもののハウジング２０同士を連結させる複数の分割コネクタ３を備え、分割コネクタ３は、相手方コネクタの相手方端子金具に対して物理的且つ電気的に接続される端子金具１０と、電線Ｗｅの端末に対して物理的且つ電気的に接続された端子金具１０を収容するハウジング２０と、を備え、ハウジング２０は、端子金具１０が収容完了位置に収容される端子収容室２１と、自らの端子収容室２１における収容完了位置の端子金具１０の係止が不能な非係止位置と自らの端子収容室２１における収容完了位置の端子金具１０の係止が可能な係止位置との間での変位を行い得る係止体２４と、を有し、係止体２４は、隣り合う連結対象の２つのハウジング２０の連結動作に連動して、相手方のハウジング２０に押動されながら非係止位置から係止位置へと変位させるものとして形成されること。【選択図】図１
2020202035.tif 000002
【特許請求の範囲】
【請求項１】
隣り合うもののハウジング同士を連結させる複数の分割コネクタを備え、
前記分割コネクタは、相手方コネクタの相手方端子金具に対して物理的且つ電気的に接続される端子金具と、電線の端末に対して物理的且つ電気的に接続された前記端子金具を収容する前記ハウジングと、を備え、
前記ハウジングは、前記端子金具が収容完了位置に収容される端子収容室と、自らの前記端子収容室における前記収容完了位置の前記端子金具の係止が不能な非係止位置と自らの前記端子収容室における前記収容完了位置の前記端子金具の係止が可能な係止位置との間での変位を行い得る係止体と、を有し、
前記係止体は、隣り合う連結対象の２つの前記ハウジングの連結動作に連動して、相手方の前記ハウジングに押動されながら前記非係止位置から前記係止位置へと変位させるものとして形成されることを特徴としたコネクタ。
【請求項２】
前記ハウジングは、自らの前記端子収容室に対して自らの前記係止体を前記非係止位置と前記係止位置との間で回動させる回動構造を有することを特徴とした請求項１に記載のコネクタ。
【請求項３】
前記ハウジングは、自らの前記端子収容室の開口であり、前記相手方コネクタとの間のコネクタ挿抜方向における一端に形成され、前記相手方端子金具を自らの前記端子収容室に挿入させる際に用いる端子挿入口と、自らの前記端子収容室の別の開口であり、前記コネクタ挿抜方向における他端に形成され、接続状態の前記端子金具及び前記電線の端末を自らの前記端子収容室に収容させる際に用いる端子収容口と、を有し、
隣り合う連結対象の２つの前記ハウジングの間には、２つの前記ハウジングを前記コネクタ挿抜方向に対する直交方向に沿って連結させるハウジング連結構造を設け、
前記回動構造は、前記コネクタ挿抜方向に対して平行な軸であり、自らが回動対象とする前記係止体を前記非係止位置と前記係止位置との間で回動させる回動軸を有することを特徴とした請求項２に記載のコネクタ。
【請求項４】
前記ハウジングは、自らの前記端子収容室に対して自らの前記係止体を前記非係止位置と前記係止位置との間でスライドさせるスライド構造を有することを特徴とした請求項１に記載のコネクタ。
【請求項５】
前記ハウジングは、自らの前記端子収容室の開口であり、前記相手方コネクタとの間のコネクタ挿抜方向における一端に形成され、前記相手方端子金具を自らの前記端子収容室に挿入させる際に用いる端子挿入口と、自らの前記端子収容室の別の開口であり、前記コネクタ挿抜方向における他端に形成され、接続状態の前記端子金具及び前記電線の端末を自らの前記端子収容室に収容させる際に用いる端子収容口と、を有し、
隣り合う連結対象の２つの前記ハウジングの間には、２つの前記ハウジングを前記コネクタ挿抜方向に対する直交方向に沿って連結させるハウジング連結構造を設け、
前記スライド構造は、２つの前記ハウジングの連結方向に沿って自らがスライド対象とする前記係止体を前記非係止位置から前記係止位置へとスライドさせ、かつ、前記連結方向とは逆向きに自らの前記係止体を前記係止位置から前記非係止位置へとスライドさせるガイド構造であることを特徴とした請求項４に記載のコネクタ。
【請求項６】
前記ハウジング同士を連結させた２つの前記分割コネクタから成る連結コネクタを複数備え、
隣り合う２つの前記連結コネクタは、一方の前記連結コネクタが有する第１連結部と他方の前記連結コネクタが有する第２連結部とを繋ぎ合わせることによって互いを連結させるコネクタ連結構造を備え、
前記第１連結部と前記第２連結部は、前記ハウジングが有することを特徴とした請求項１から５の内の何れか１つに記載のコネクタ。
【請求項７】
前記ハウジングは、自らの前記端子収容室の開口であり、前記相手方コネクタとの間のコネクタ挿抜方向における一端に形成され、前記相手方端子金具を自らの前記端子収容室に挿入させる際に用いる端子挿入口と、自らの前記端子収容室の別の開口であり、前記コネクタ挿抜方向における他端に形成され、接続状態の前記端子金具及び前記電線の端末を自らの前記端子収容室に収容させる際に用いる端子収容口と、前記コネクタ挿抜方向に対する直交方向の一端と他端とに各々設けた前記係止体と、を有し、
隣り合う連結対象の２つの前記ハウジングの間には、２つの前記ハウジングを前記コネクタ挿抜方向とそれぞれの前記係止体の配列方向とに対する直交方向に沿って連結させるハウジング連結構造を設けることを特徴とした請求項２に記載のコネクタ。
【請求項８】
前記ハウジングは、前記端子収容室を複数有することを特徴とした請求項１から７の内の何れか１つに記載のコネクタ。
【請求項９】
電線と、
隣り合うもののハウジング同士を連結させる複数の分割コネクタと、
を備え、
前記分割コネクタは、相手方コネクタの相手方端子金具に対して物理的且つ電気的に接続される端子金具と、前記電線の端末に対して物理的且つ電気的に接続された前記端子金具を収容する前記ハウジングと、を備え、
前記ハウジングは、前記端子金具が収容完了位置に収容される端子収容室と、自らの前記端子収容室における前記収容完了位置の前記端子金具の係止が不能な非係止位置と自らの前記端子収容室における前記収容完了位置の前記端子金具の係止が可能な係止位置との間での変位を行い得る係止体と、を有し、
前記係止体は、隣り合う連結対象の２つの前記ハウジングの連結動作に連動して、相手方の前記ハウジングに押動されながら前記非係止位置から前記係止位置へと変位させるものとして形成されることを特徴としたコネクタ付き電線。
【発明の詳細な説明】
【技術分野】
【０００１】
本発明は、コネクタ及びコネクタ付き電線に関する。
【背景技術】
【０００２】
従来、コネクタ及びコネクタ付き電線においては、電線の端末に対して端子金具が物理的且つ電気的に接続された後、その端子金具がハウジングの端子収容口から端子収容室に収容される。そのハウジングにおいては、相手方コネクタとの間のコネクタ挿抜方向における一端に相手方端子金具の端子挿入口が形成され、かつ、そのコネクタ挿抜方向における他端に端子収容口が形成されており、その端子収容口から端子挿入口に向けて端子金具が端子収容室に挿入されていく。コネクタ及びコネクタ付き電線においては、端子収容室からの端子金具の抜け止めを図るべく、係止部で端子金具の被係止部を係止させる端子係止部品（所謂リテーナ）が設けられている（下記の特許文献１）。その端子係止部品は、ハウジングに組み付ける別部品であり、ハウジングに対して相対移動させ、これに伴い端子収容室に差し入れられた係止部で端子金具の被係止部を係止させる。また、コネクタ及びコネクタ付き電線においては、連結された複数の分割コネクタを備えるものが知られている（下記の特許文献２）。
【先行技術文献】
【特許文献】
【０００３】
【特許文献１】特開２００８−２３５０５０号公報
【特許文献２】特開２００３−２１７３５８号公報
【発明の概要】
【発明が解決しようとする課題】
【０００４】
ところで、従来のコネクタ及びコネクタ付き電線においては、その組付け作業を行うに際して、端子係止部品の組付け工程が必要となり、その組付け忘れに注意を払わなければならない。
【０００５】
そこで、本発明は、組付け作業性を向上させ得るコネクタ及びコネクタ付き電線を提供することを、その目的とする。
【課題を解決するための手段】
【０００６】
上記目的を達成する為、本発明に係るコネクタは、隣り合うもののハウジング同士を連結させる複数の分割コネクタを備え、前記分割コネクタは、相手方コネクタの相手方端子金具に対して物理的且つ電気的に接続される端子金具と、電線の端末に対して物理的且つ電気的に接続された前記端子金具を収容する前記ハウジングと、を備え、前記ハウジングは、前記端子金具が収容完了位置に収容される端子収容室と、自らの前記端子収容室における前記収容完了位置の前記端子金具の係止が不能な非係止位置と自らの前記端子収容室における前記収容完了位置の前記端子金具の係止が可能な係止位置との間での変位を行い得る係止体と、を有し、前記係止体は、隣り合う連結対象の２つの前記ハウジングの連結動作に連動して、相手方の前記ハウジングに押動されながら前記非係止位置から前記係止位置へと変位させるものとして形成されることを特徴としている。
【０００７】
ここで、前記ハウジングは、自らの前記端子収容室に対して自らの前記係止体を前記非係止位置と前記係止位置との間で回動させる回動構造を有することが望ましい。
【０００８】
また、前記ハウジングは、自らの前記端子収容室の開口であり、前記相手方コネクタとの間のコネクタ挿抜方向における一端に形成され、前記相手方端子金具を自らの前記端子収容室に挿入させる際に用いる端子挿入口と、自らの前記端子収容室の別の開口であり、前記コネクタ挿抜方向における他端に形成され、接続状態の前記端子金具及び前記電線の端末を自らの前記端子収容室に収容させる際に用いる端子収容口と、を有し、隣り合う連結対象の２つの前記ハウジングの間には、２つの前記ハウジングを前記コネクタ挿抜方向に対する直交方向に沿って連結させるハウジング連結構造を設け、前記回動構造は、前記コネクタ挿抜方向に対して平行な軸であり、自らが回動対象とする前記係止体を前記非係止位置と前記係止位置との間で回動させる回動軸を有することが望ましい。
【０００９】
また、前記ハウジングは、自らの前記端子収容室に対して自らの前記係止体を前記非係止位置と前記係止位置との間でスライドさせるスライド構造を有することが望ましい。
【００１０】
また、前記ハウジングは、自らの前記端子収容室の開口であり、前記相手方コネクタとの間のコネクタ挿抜方向における一端に形成され、前記相手方端子金具を自らの前記端子収容室に挿入させる際に用いる端子挿入口と、自らの前記端子収容室の別の開口であり、前記コネクタ挿抜方向における他端に形成され、接続状態の前記端子金具及び前記電線の端末を自らの前記端子収容室に収容させる際に用いる端子収容口と、を有し、隣り合う連結対象の２つの前記ハウジングの間には、２つの前記ハウジングを前記コネクタ挿抜方向に対する直交方向に沿って連結させるハウジング連結構造を設け、前記スライド構造は、２つの前記ハウジングの連結方向に沿って自らがスライド対象とする前記係止体を前記非係止位置から前記係止位置へとスライドさせ、かつ、前記連結方向とは逆向きに自らの前記係止体を前記係止位置から前記非係止位置へとスライドさせるガイド構造であることが望ましい。
【００１１】
また、前記ハウジング同士を連結させた２つの前記分割コネクタから成る連結コネクタを複数備え、隣り合う２つの前記連結コネクタは、一方の前記連結コネクタが有する第１連結部と他方の前記連結コネクタが有する第２連結部とを繋ぎ合わせることによって互いを連結させるコネクタ連結構造を備え、前記第１連結部と前記第２連結部は、前記ハウジングが有することが望ましい。
【００１２】
また、前記ハウジングは、自らの前記端子収容室の開口であり、前記相手方コネクタとの間のコネクタ挿抜方向における一端に形成され、前記相手方端子金具を自らの前記端子収容室に挿入させる際に用いる端子挿入口と、自らの前記端子収容室の別の開口であり、前記コネクタ挿抜方向における他端に形成され、接続状態の前記端子金具及び前記電線の端末を自らの前記端子収容室に収容させる際に用いる端子収容口と、前記コネクタ挿抜方向に対する直交方向の一端と他端とに各々設けた前記係止体と、を有し、隣り合う連結対象の２つの前記ハウジングの間には、２つの前記ハウジングを前記コネクタ挿抜方向とそれぞれの前記係止体の配列方向とに対する直交方向に沿って連結させるハウジング連結構造を設けることが望ましい。
【００１３】
また、前記ハウジングは、前記端子収容室を複数有することが望ましい。
【００１４】
上記目的を達成する為、本発明に係るコネクタ付き電線は、電線と、隣り合うもののハウジング同士を連結させる複数の分割コネクタと、を備え、前記分割コネクタは、相手方コネクタの相手方端子金具に対して物理的且つ電気的に接続される端子金具と、前記電線の端末に対して物理的且つ電気的に接続された前記端子金具を収容する前記ハウジングと、を備え、前記ハウジングは、前記端子金具が収容完了位置に収容される端子収容室と、自らの前記端子収容室における前記収容完了位置の前記端子金具の係止が不能な非係止位置と自らの前記端子収容室における前記収容完了位置の前記端子金具の係止が可能な係止位置との間での変位を行い得る係止体と、を有し、前記係止体は、隣り合う連結対象の２つの前記ハウジングの連結動作に連動して、相手方の前記ハウジングに押動されながら前記非係止位置から前記係止位置へと変位させるものとして形成されることを特徴としている。
【発明の効果】
【００１５】
本発明に係るコネクタ及びコネクタ付き電線においては、ハウジングとは別の部品として用意した端子係止部品を、これのみの専用の作業工程で非係止位置から係止位置まで移動させる必要がない。つまり、このコネクタ及びコネクタ付き電線においては、連結対象の２つのハウジングを連結させるのと同時に、係止体を非係止位置から係止位置まで変位させ、その係止体によって、端子収容室に収容されている端子金具を収容完了位置で係止させることができる。よって、本発明に係るコネクタ及びコネクタ付き電線は、従来のものと比較して、ハウジングへの端子係止部品の組付け工程が不要になるので、組付け作業性を向上させることができる。
【図面の簡単な説明】
【００１６】
【図１】図１は、実施形態のコネクタ及びコネクタ付き電線を示す図であり、分割コネクタを連結させる前の分解斜視図である。
【図２】図２は、実施形態のコネクタ及びコネクタ付き電線を示す図であり、分割コネクタを連結させる前の状態を別角度から見た分解斜視図である。
【図３】図３は、実施形態のコネクタ及びコネクタ付き電線を示す図であり、分割コネクタを連結させる前の状態を別角度から見た分解斜視図である。
【図４】図４は、実施形態のコネクタ及びコネクタ付き電線を示す図であり、分割コネクタを連結させた後の斜視図である。
【図５】図５は、実施形態のコネクタ及びコネクタ付き電線を示す図であり、分割コネクタを連結させた後の状態を別角度から見た斜視図である。
【図６】図６は、図４のＸ−Ｘ線断面図である。
【図７】図７は、第１分割コネクタの分解斜視図である。
【図８】図８は、第１分割コネクタを別角度から見た分解斜視図である。
【図９】図９は、第２分割コネクタの分解斜視図である。
【図１０】図１０は、第２分割コネクタを別角度から見た分解斜視図である。
【図１１】図１１は、実施形態のコネクタ及びコネクタ付き電線を示す図であり、分割コネクタの連結工程について説明する斜視図である。
【図１２】図１２は、図１１のＹ−Ｙ線断面図である。
【図１３】図１３は、実施形態のコネクタ及びコネクタ付き電線を示す図であり、分割コネクタの連結工程について説明する斜視図である。
【図１４】図１４は、図１３のＹ−Ｙ線断面図である。
【図１５】図１５は、実施形態のコネクタ及びコネクタ付き電線を示す図であり、分割コネクタの連結工程について説明する斜視図である。
【図１６】図１６は、図１５のＹ−Ｙ線断面図である。
【図１７】図１７は、実施形態のコネクタ及びコネクタ付き電線を示す図であり、分割コネクタの連結工程について説明する斜視図である。
【図１８】図１８は、図１７のＹ−Ｙ線断面図である。
【図１９】図１９は、実施形態のコネクタ及びコネクタ付き電線を示す図であり、分割コネクタの連結工程について説明する斜視図である。
【図２０】図２０は、図１９のＹ−Ｙ線断面図である。
【図２１】図２１は、実施形態のコネクタ及びコネクタ付き電線を示す図であり、分割コネクタの連結工程について説明する斜視図である。
【図２２】図２２は、図２１のＹ−Ｙ線断面図である。
【図２３】図２３は、図４のＹ−Ｙ線断面図である。
【図２４】図２４は、実施形態のコネクタ及びコネクタ付き電線を示す図であり、連結コネクタを連結させた後の斜視図である。
【図２５】図２５は、変形例１のコネクタ及びコネクタ付き電線を示す図であり、分割コネクタを連結させる前の分解斜視図である。
【図２６】図２６は、変形例１のコネクタ及びコネクタ付き電線を示す図であり、分割コネクタを連結させる前の平面図である。
【図２７】図２７は、図２６のＹ−Ｙ線断面図である。
【図２８】図２８は、変形例１のコネクタ及びコネクタ付き電線を示す図であり、分割コネクタを連結させた後の平面図である。
【図２９】図２９は、図２８のＹ−Ｙ線断面図である。
【図３０】図３０は、変形例１の分割コネクタを示す上面図である。
【図３１】図３１は、変形例１の分割コネクタを示す側面図である。
【図３２】図３２は、変形例１の分割コネクタを端子挿入口側から見た平面図である。
【図３３】図３３は、変形例１のコネクタ及びコネクタ付き電線を示す図であり、相手方コネクタに嵌合接続させる前の平面図である。
【図３４】図３４は、変形例１のコネクタ及びコネクタ付き電線を示す図であり、相手方コネクタに嵌合接続させた後の平面図である。
【図３５】図３５は、撚り対線の形成工程を示す平面図である。
【図３６】図３６は、撚り対線の形成工程を示す平面図である。
【図３７】図３７は、撚り対線の形成工程を示す平面図である。
【図３８】図３８は、撚り対線の形成工程を示す平面図である。
【図３９】図３９は、撚り対線の形成工程を示す平面図である。
【図４０】図４０は、変形例２のコネクタ及びコネクタ付き電線を示す図であり、分割コネクタを連結させる前の分解斜視図である。
【図４１】図４１は、変形例２のコネクタ及びコネクタ付き電線を示す図であり、分割コネクタを連結させた後の斜視図である。
【図４２】図４２は、図４１のＸ−Ｘ線断面図である。
【図４３】図４３は、変形例２のハウジングを示す斜視図である。
【図４４】図４４は、変形例２のハウジングを別角度から見た斜視図である。
【図４５】図４５は、変形例２のコネクタ及びコネクタ付き電線を示す図であり、分割コネクタの連結工程について説明する斜視図である。
【図４６】図４６は、図４５のＹ−Ｙ線断面図である。
【図４７】図４７は、変形例２のコネクタ及びコネクタ付き電線を示す図であり、分割コネクタの連結工程について説明する斜視図である。
【図４８】図４８は、図４７のＹ−Ｙ線断面図である。
【図４９】図４９は、図４１のＹ−Ｙ線断面図である。
【図５０】図５０は、変形例２のコネクタ及びコネクタ付き電線を示す図であり、連結コネクタを連結させた後の斜視図である。
【図５１】図５１は、変形例２のコネクタ及びコネクタ付き電線を示す図であり、コネクタ連結構造の変形形態を示す斜視図である。
【発明を実施するための形態】
【００１７】
以下に、本発明に係るコネクタ及びコネクタ付き電線の実施形態を図面に基づいて詳細に説明する。尚、この実施形態によりこの発明が限定されるものではない。
【００１８】
［実施形態］
本発明に係るコネクタ及びコネクタ付き電線の実施形態の１つを図１から図２４に基づいて説明する。
【００１９】
図１から図６の符号１は、本実施形態のコネクタを示す。また、図１から図６の符号２は、電線Ｗｅの端末にコネクタ１が取り付けられた本実施形態のコネクタ付き電線を示す。また、図１から図６の符号３は、本実施形態の分割コネクタを示す。また、図４から図６の符号４は、２つの分割コネクタ３が連結された本実施形態の連結コネクタを示す。
【００２０】
コネクタ１は、複数の分割コネクタ３を備える（図１から図６）。このコネクタ１は、そのそれぞれの分割コネクタ３を連結させることによって一体化させたものである。このコネクタ１においては、分割コネクタ３が端子金具とハウジングとを備えており、隣り合う分割コネクタ３のハウジング同士が連結される（図１から図６）。
【００２１】
このコネクタ１は、同一形状の複数の端子金具を備えるものであってもよく、異形状の端子金具を混在させたものであってもよい。この例示では、コネクタ１を成す全ての分割コネクタ３が同一形状の端子金具１０を備えている（図６から図１０）。
【００２２】
また、このコネクタ１は、同一形状の複数のハウジングを備えるものであってもよく、異形状のハウジングを混在させたものであってもよい。この例示では、２つの異形状のハウジング（第１ハウジング２０Ａ、第２ハウジング２０Ｂ）を混在させており、その対になる２つの異形状のハウジング同士（第１ハウジング２０Ａと第２ハウジング２０Ｂ）を後述するハウジング連結構造３０で連結させる（図１から図６）。以下においては、第１ハウジング２０Ａが具備された分割コネクタ３を第１分割コネクタ３Ａと称し、第２ハウジング２０Ｂが具備された分割コネクタ３を第２分割コネクタ３Ｂと称する。但し、ここで示す第１ハウジング２０Ａと第２ハウジング２０Ｂは、ハウジング連結構造３０に関わる部分を除いて同一形状を成している。そこで、以下においては、説明の便宜上、第１ハウジング２０Ａと第２ハウジング２０Ｂをハウジング２０と一纏めに称することもあり、また、第１分割コネクタ３Ａと第２分割コネクタ３Ｂについても分割コネクタ３と一纏めに称することもある。
【００２３】
コネクタ付き電線２は、その複数の分割コネクタ３の他に、分割コネクタ３毎の電線Ｗｅを備える（図１から図６）。このコネクタ付き電線２においては、分割コネクタ３毎に、電線Ｗｅの端末に対して端子金具１０が物理的且つ電気的に接続されている（図７から図１０）。
【００２４】
端子金具１０は、金属等の導電性材料で成形される。この端子金具１０は、相手方コネクタの相手方端子金具（図示略）に対して物理的且つ電気的に接続される端子接続部１１と、電線Ｗｅの端末に対して物理的且つ電気的に接続される電線接続部１２と、を有する（図６から図１０）。
【００２５】
端子接続部１１と相手方端子金具の相手方端子接続部（図示略）は、その内の一方が雌端子形状に形成され、その内の他方が雄端子形状に形成される。この例示では、端子接続部１１が角筒状の雌端子形状に形成され、相手方端子接続部が端子接続部１１の内方に嵌入される雄端子形状に形成されている。端子接続部１１においては、その筒軸方向における一端の開口から筒軸方向に沿って相手方端子接続部が挿入される。よって、ここでは、その端子接続部１１の筒軸方向が、端子接続部１１と相手方端子接続部との間の端子挿抜方向となり、かつ、コネクタ１と相手方コネクタとの間のコネクタ挿抜方向となる。
【００２６】
電線接続部１２は、端子接続部１１における筒軸方向の他端側に配置され、物理的且つ電気的に接続している電線Ｗｅを筒軸方向に沿って引き出させる。例えば、この電線接続部１２は、電線Ｗｅの端末の芯線Ｗｅ１に対して加締め圧着させることによって、この電線Ｗｅの端末に対して物理的且つ電気的に接続される（図６及び図７）。
【００２７】
ハウジング２０は、合成樹脂等の絶縁性材料で成形される。このハウジング２０は、端子金具１０が収容される端子収容室２１を有する（図１から図１０）。その端子収容室２１は、端子金具１０を収容完了位置まで挿入させ、その収容完了位置に端子金具１０を収容させる。よって、このハウジング２０は、電線Ｗｅの端末に対して物理的且つ電気的に接続された端子金具１０を端子収容室２１の収容完了位置に収容させる。
【００２８】
その端子収容室２１における端子金具１０の端子接続部１１は、その端子収容室２１に挿入されてきた相手方端子金具の相手方端子接続部に嵌合接続される。よって、このハウジング２０は、自らの端子収容室２１の開口であり、相手方コネクタとの間のコネクタ挿抜方向における一端に形成され、相手方端子金具を自らの端子収容室２１に挿入させる際に用いる端子挿入口２２を有する（図１、図４から図７及び図９）。更に、このハウジング２０は、自らの端子収容室２１の別の開口であり、コネクタ挿抜方向における他端に形成され、接続状態の端子金具１０及び電線Ｗｅの端末を自らの端子収容室２１に収容させる際に用いる端子収容口２３を有する（図２、図３、図６、図８及び図１０）。その端子収容口２３は、端末が端子金具１０の電線接続部１２に物理的且つ電気的に接続された電線Ｗｅを端子収容室２１の外に引き出させる電線引出口としても利用される。
【００２９】
本実施形態のコネクタ１及びコネクタ付き電線２において、ハウジング２０は、端子収容室２１を複数有する。その複数の端子収容室２１は、コネクタ挿抜方向に対する直交方向に並べて配置する。この例示のハウジング２０は、端子収容室２１を２つ有している。
【００３０】
更に、このハウジング２０は、自らの端子収容室２１における収容完了位置の端子金具１０の係止が不能な非係止位置と、自らの端子収容室２１における収容完了位置の端子金具１０の係止が可能な係止位置と、の間での変位を行い得る係止体２４を有する（図１から図７、図９及び図１０）。そして、このハウジング２０は、係止位置にある自らの係止体２４を収容させる係止体収容室２５を有する（図１から図８及び図１０）。このハウジング２０においては、自らの端子収容室２１に収容されている端子金具１０を係止するために、自らが係止体２４と係止体収容室２５とを有している。その係止体２４は、ハウジング２０の一部分としてハウジング２０と一体になって成形されたものであってもよく、ハウジング２０とは別の部品として合成樹脂等の絶縁性材料で成形されたものが、このハウジング２０の一部分として組み付けられたものであってもよい。この例示では、ハウジング２０と一体になって成形された係止体２４を例として挙げている。
【００３１】
係止体２４は、係止位置で端子金具１０を係止させる係止部（以下、「第１係止部」という。）２４ａを有している（図１から図３、図６、図７、図９及び図１０）。一方、端子金具１０は、その係止部２４ａに係止させる被係止部（以下、「第１被係止部」という。）１３を有している（図６から図１０）。第１係止部２４ａには、係止体２４が係止位置のときに、収容完了位置の端子金具１０の第１被係止部１３よりも端子収容口２３側で第１被係止部１３を係止させることによって、端子金具１０の端子収容口２３側への相対移動を抑止させる。そこで、この例示では、端子金具１０の収容完了位置からの位置ずれを設計による許容範囲内に抑えるべく、収容完了位置の端子金具１０の第１被係止部１３と係止位置の係止体２４の第１係止部２４ａとの間隔を設定する。例えば、この端子金具１０においては、端子接続部１１における電線接続部１２側の端面を第１被係止部１３として利用する。そして、係止体２４においては、コネクタ挿抜方向で端子挿入口２２側の壁面を第１係止部２４ａとして利用する。ここでは、その壁面（第１係止部２４ａ）でそれぞれの端子収容室２１の端子金具１０を係止させる。
【００３２】
ここで、隣り合う連結対象の２つのハウジング２０（第１ハウジング２０Ａと第２ハウジング２０Ｂ）は、コネクタ挿抜方向に対する直交方向に沿って連結させる。この２つのハウジング２０の間には、その２つのハウジング２０をコネクタ挿抜方向に対する直交方向に沿って連結させるハウジング連結構造３０を設けている（図１から図４及び図６から図１０）。例えば、ここで示す連結対象の２つのハウジング２０は、それぞれの外壁２０ａの外壁面２０ａ1を接合面にして互いに連結させるべく形成されており（図６）、互いの外壁面２０ａ1に沿わせ、かつ、コネクタ挿抜方向に対する直交方向に沿わせて連結させる。ハウジング連結構造３０は、そのハウジング連結方向に沿うそれぞれのハウジング２０の連結動作を可能にするものとして構成する。
【００３３】
ここで示すハウジング連結構造３０は、隣り合う連結対象の２つのハウジング２０の内の一方（第１ハウジング２０Ａ）が有する第１連結部３１と、その内の他方（第２ハウジング２０Ｂ）が有する第２連結部３２と、を備える（図１から図４及び図６から図１０）。このハウジング連結構造３０は、その第１連結部３１と第２連結部３２とを繋ぎ合わせることによって、連結対象の２つのハウジング２０を連結させ且つその互いの連結状態を保持させる。
【００３４】
このハウジング連結構造３０においては、第１連結部３１を凸状の突起部として形成し、第２連結部３２を凹状の溝部として形成している。第１連結部３１は、第１ハウジング２０Ａの外壁２０ａの外壁面２０ａ1から突出させ、かつ、その外壁面２０ａ1に沿ってコネクタ挿抜方向に対する直交方向（ハウジング連結方向）に延在させた突起部である。この第１連結部３１は、その延在方向（第２連結部３２との間の連結方向）に対する直交断面が台形（ここでは等脚台形）の角柱となるように形成している（図１から図４及び図６から図１０）。この第１連結部３１は、その台形の上底側を第１ハウジング２０Ａの外壁面２０ａ1側に配置し、その上底よりも長さの長い下底側に向けて突出させている。第２連結部３２は、第２ハウジング２０Ｂの外壁２０ａの外壁面２０ａ1を凹ませ、かつ、その外壁面２０ａ1に沿ってコネクタ挿抜方向に対する直交方向（ハウジング連結方向）に延在させた溝部である。この第２連結部３２は、第１連結部３１の形状に合わせて、その延在方向（第１連結部３１との間の連結方向）に対する直交断面が台形（ここでは等脚台形）の角柱状の溝部となるように形成している（図１から図４及び図６から図１０）。この第２連結部３２は、その台形の上底側を第２ハウジング２０Ｂの外壁面２０ａ1側に配置し、その上底よりも長さの長い下底側に向けて凹ませている。このハウジング連結構造３０は、第１連結部３１と第２連結部３２とがそのような台形を成しているので、隣り合う連結対象の２つのハウジング２０を連結状態のまま保持することができる。
【００３５】
このハウジング連結構造３０は、その対になる第１連結部３１と第２連結部３２の組み合わせを複数備える。この例示では、その組み合わせをコネクタ挿抜方向で端子挿入口２２側と端子収容口２３側とに１組ずつ備えている。但し、端子挿入口２２側の一対の第１連結部３１と第２連結部３２については、後述する第２係止部２６をハウジング２０の外壁２０ａに設けるべく、３つに分断されている。
【００３６】
係止体２４と係止体収容室２５は、そのハウジング連結構造３０を有すると共に、２つの端子収容室２１の配列方向に沿い、かつ、その２つの端子収容室２１の壁面を成す外壁２０ａに設ける（図１から図３、図７及び図１０）。隣り合う連結対象の２つのハウジング２０は、それぞれに、その連結動作に連動して、自らのハウジング２０の係止体２４を自らの係止体収容室２５に挿入させながら収容させる。そこで、係止体２４は、隣り合う連結対象の２つのハウジング２０の連結動作に連動して、相手方のハウジング２０に押動されながら非係止位置から係止位置へと変位させるものとして形成される。
【００３７】
ハウジング２０は、自らの端子収容室２１に対して自らの係止体２４を非係止位置と係止位置との間で回動させる回動構造４０を有する（図１、図２及び図７）。係止体２４と回動構造４０は、非係止位置の係止体２４を外壁面２０ａ1から突出させ、係止位置の係止体２４を係止体収容室２５に収容させる（つまり、係止位置の係止体２４の係止部２４ａを端子収容室２１に収容させる）ものとして形成する。ここで示す回動構造４０は、コネクタ挿抜方向に対して平行な軸であり、自らが回動対象とする係止体２４を非係止位置と係止位置との間で回動させる回動軸４１を有する（図１、図２及び図７）。この例示では、回動構造４０としてリビングヒンジを設け、このリビングヒンジを介してハウジング２０と係止体２４とが一体成形されている。尚、回動構造４０は、ハウジング２０と係止体２４とを各々別の部品として用意する場合、例えば、ハウジング２０と係止体２４の内の一方に回動軸４１を設け、かつ、その内の他方に回動軸４１の軸受を設けて構成すればよい。
【００３８】
このハウジング２０においては、ハウジング連結方向で相手方のハウジング２０側に寄せて回動構造４０を配置している。非係止位置の係止体２４は、その回動構造４０を起点にして、外壁面２０ａ1に対する直交方向に向けて当該外壁面２０ａ1よりも突出させる。この非係止位置の係止体２４には、その突出方向に向かうほどハウジング連結方向で相手方のハウジング２０側に徐々に近づいていく傾斜面２４ｂが形成されている（図１から図３及び図７から図１０）。その傾斜面２４ｂの傾斜は、回動構造４０としてリビングヒンジを起点にして始まっている。更に、この非係止位置の係止体２４には、その傾斜面２４ｂに突出方向側で連なる壁面であり、その突出方向とコネクタ挿抜方向とに沿う当接面２４ｃが形成されている（図１から図３及び図７から図１０）。
【００３９】
非係止位置の係止体２４においては、隣り合う連結対象の２つのハウジング２０を連結させ始めることで、相手方のハウジング２０が当接面２４ｃに接触して、この相手方のハウジング２０からの押動力が加えられ始める（図１１及び図１２）。これにより、この係止体２４は、回動軸４１の軸周りに回動し始める（図１３及び図１４）。この係止体２４においては、ハウジング２０間の連結動作が進むことによって、相手方のハウジング２０からの押動力の印加点が傾斜面２４ｂに移る（図１５から図１８）。このため、この係止体２４は、ハウジング２０間の連結動作が更に進むことによって、その傾斜面２４ｂに沿って相手方のハウジング２０からの押動力が加えられながら、係止位置まで回動軸４１の軸周りに回動していく（図１９から図２２）。この例示では、ハウジング２０間の連結動作が更に進んで、このハウジング２０間の連結が完了する（図４及び図２３）。
【００４０】
ところで、端子金具１０は、第１被係止部１３とは別の被係止部（以下、「第２被係止部」という。）１４を有している（図６、図７及び図１０）。その第２被係止部１４は、端子接続部１１における電線接続部１２とは逆側の端部に設けている。この第２被係止部１４は、その端部にて、コネクタ挿抜方向に対する直交方向に突出させる。ハウジング２０は、自らの端子収容室２１に収容されている端子金具１０の第２被係止部１４よりも端子収容口２３側で第２被係止部１４を係止する第２係止部２６を有している（図６）。その第２係止部２６は、可撓性を持たせた所謂ランスであり、第２被係止部１４に対する係止状態と係止解除状態との間で弾性変形させることができる。この例示では、端子金具１０の収容完了位置からの位置ずれを設計による許容範囲内に抑えるべく、収容完了位置の端子金具１０の第２被係止部１４とハウジング２０の第２係止部２６との間隔を設定する。
【００４１】
連結コネクタ４は、そのハウジング２０同士（第１ハウジング２０Ａと第２ハウジング２０Ｂ）を連結させた２つの分割コネクタ３（第１分割コネクタ３Ａ、第２分割コネクタ３Ｂ）から成るものである。本実施形態のコネクタ１は、その１つの連結コネクタ４のみで構成されるものであってもよく、その連結コネクタ４を複数備える構成のものであってもよい。本実施形態のコネクタ１においては、その何れの構成を採るにせよ、複数の連結コネクタ４を備えることができるように、隣り合う２つの連結コネクタ４を連結させるためのコネクタ連結構造５０が設けられている（図１から図１０）。図２４には、そのコネクタ連結構造５０によって２つの連結コネクタ４が連結された後の状態を示している。
【００４２】
そのコネクタ連結構造５０は、隣り合う２つの連結コネクタ４の内の一方が有する第１連結部５１と、その内の他方が有する第２連結部５２と、を備える（図１から図１０及び図２４）。このコネクタ連結構造５０は、その第１連結部５１と第２連結部５２とを繋ぎ合わせることによって、隣り合う２つの連結コネクタ４を連結させ且つその互いの連結状態を保持させる。このコネクタ連結構造５０は、第１連結部５１と第２連結部５２とをコネクタ挿抜方向に沿って繋ぎ合わせるものであってもよく、第１連結部５１と第２連結部５２とをコネクタ挿抜方向に対する直交方向に沿って繋ぎ合わせるものであってもよい。この例示では、第１連結部５１と第２連結部５２とをコネクタ挿抜方向に対する直交方向の内、分割コネクタ３同士（第１分割コネクタ３Ａと第２分割コネクタ３Ｂ）の連結方向に沿って繋ぎ合わせる。
【００４３】
ハウジング２０には、その第１連結部５１と第２連結部５２の双方を設けている。この例示の第１連結部５１と第２連結部５２は、ハウジング２０にて、コネクタ挿抜方向に対する直交方向で外壁２０ａとは逆側の外壁２０ｂに設けている（図１から図１０及び図２４）。
【００４４】
このコネクタ連結構造５０においては、第１連結部５１を凸状の突起部として形成し、第２連結部５２を凹状の溝部として形成している。第１連結部５１は、外壁２０ｂの外壁面２０ｂ1から突出させた突起部であり、第２連結部５２との間の連結方向（コネクタ連結方向）に対する直交断面が台形（ここでは等脚台形）の角柱となるように形成している（図１から図１０及び図２４）。この第１連結部５１は、その台形の上底側を外壁面２０ｂ1側に配置し、その上底よりも長さの長い下底側に向けて突出させている。第２連結部５２は、外壁２０ｂの外壁面２０ｂ1を凹ませた溝部であり、第１連結部５１の形状に合わせて、第１連結部５１との間の連結方向（コネクタ連結方向）に対する直交断面が台形（ここでは等脚台形）の角柱状の溝部となるように形成している（図１から図１０及び図２４）。この第２連結部５２は、その台形の上底側を外壁面２０ｂ1側に配置し、その上底よりも長さの長い下底側に向けて凹ませている。このコネクタ連結構造５０は、第１連結部５１と第２連結部５２とがそのような台形を成しているので、隣り合う連結対象の２つの連結コネクタ４を連結状態のまま保持することができる。
【００４５】
このコネクタ連結構造５０は、その対になる第１連結部５１と第２連結部５２の組み合わせを複数備える。この例示では、その組み合わせを６組備えている。ハウジング２０の外壁２０ｂにおいては、第１連結部５１と第２連結部５２の連結方向における一端側で且つコネクタ挿抜方向における両隅に第１連結部５１を１つずつ形成し、その２つの第１連結部５１の間に第２連結部５２を１つ形成している（図１から図５、図８、図９及び図２４）。また、このハウジング２０の外壁２０ｂにおいては、その連結方向における他端側で且つコネクタ挿抜方向における両隅に第２連結部５２を１つずつ形成し、その２つの第２連結部５２の間に第１連結部５１を１つ形成している（図１から図５、図８、図９及び図２４）。
【００４６】
以上示したように、本実施形態のコネクタ１及びコネクタ付き電線２においては、ハウジング２０とは別の部品として用意した端子係止部品（端子金具１０を端子収容室２１に係止させるための部品）を、これのみの専用の作業工程で非係止位置から係止位置まで移動させる必要がない。つまり、このコネクタ１及びコネクタ付き電線２においては、連結対象の２つのハウジング２０を連結させるのと同時に、係止体２４を非係止位置から係止位置まで変位させ、その係止体２４によって、端子収容室２１に収容されている端子金具１０を収容完了位置で係止させることができる。よって、本実施形態のコネクタ１及びコネクタ付き電線２は、従来のものと比較して、ハウジング２０への端子係止部品の組付け工程が不要になるので、組付け作業性を向上させることができる。更に、このコネクタ１及びコネクタ付き電線２は、従来のものと比較して、その端子係止部品の組付け忘れを防ぐこともできるので、安定した品質の確保が可能になる。更に、このコネクタ１及びコネクタ付き電線２は、コネクタ連結構造５０によって隣り合う２つの連結コネクタ４を連結させることができるので、極数が５極以上の多極化を図ることができる。
［変形例１］
【００４７】
図２５から図２９の符号１０１は、本変形例のコネクタを示す。また、図２５から図２９の符号１０２は、電線Ｗｅの端末にコネクタ１０１が取り付けられた本変形例のコネクタ付き電線を示す。また、図２５から図２９の符号１０３は、本変形例の分割コネクタを示す。また、図２５から図２９の符号１０４は、２つの分割コネクタ３が連結された本変形例の連結コネクタを示す。
【００４８】
コネクタ１０１は、実施形態のコネクタ１と同じように、複数の分割コネクタ１０３を備え、そのそれぞれの分割コネクタ１０３を連結させることによって一体化させたものである（図２５から図２９）。このコネクタ１０１においては、分割コネクタ１０３が端子金具とハウジングとを備えており、隣り合う分割コネクタ１０３のハウジング同士が連結される（図２５から図２９）。
【００４９】
このコネクタ１０１は、同一形状の複数の端子金具を備えるものであってもよく、異形状の端子金具を混在させたものであってもよい。この例示では、コネクタ１０１を成す全ての分割コネクタ１０３が同一形状の端子金具１０を備えている。
【００５０】
また、このコネクタ１０１は、同一形状の複数のハウジングを備えるものであってもよく、異形状のハウジングを混在させたものであってもよい。この例示では、コネクタ１０１を成す全ての分割コネクタ１０３が同一形状のハウジング１２０を備えている（図２５から図３２）。
【００５１】
ハウジング１２０は、合成樹脂等の絶縁性材料で成形される。このハウジング１２０は、実施形態のハウジング２０と同じように、端子金具１０を収容完了位置まで挿入させ、その収容完了位置に端子金具１０を収容させる端子収容室１２１を有する（図２５、図２７及び図３２）。また、このハウジング１２０は、実施形態のハウジング２０と同じように、自らの端子収容室１２１の開口であり、相手方コネクタ１９０（図３３及び図３４）との間のコネクタ挿抜方向における一端に形成され、相手方端子金具１９１（図３３）を自らの端子収容室１２１に挿入させる際に用いる端子挿入口１２２（図３２）と、自らの端子収容室１２１の別の開口であり、コネクタ挿抜方向における他端に形成され、接続状態の端子金具１０及び電線Ｗｅの端末を自らの端子収容室１２１に収容させる際に用いる端子収容口１２３（図２５）と、を有する。その端子収容口１２３は、実施形態の端子収容口２３と同じように、端末が端子金具１０の電線接続部１２に物理的且つ電気的に接続された電線Ｗｅを端子収容室１２１の外に引き出させる電線引出口としても利用される。
【００５２】
本変形例のコネクタ１０１及びコネクタ付き電線１０２において、ハウジング１２０は、実施形態のハウジング２０と同じように、端子収容室１２１を複数有する。その複数の端子収容室１２１は、コネクタ挿抜方向に対する直交方向に並べて配置する。この例示のハウジング１２０は、端子収容室１２１を２つ有している。
【００５３】
更に、このハウジング１２０は、実施形態のハウジング２０と同じように、自らの端子収容室１２１における収容完了位置の端子金具１０の係止が不能な非係止位置と、自らの端子収容室１２１における収容完了位置の端子金具１０の係止が可能な係止位置と、の間での変位を行い得る係止体１２４を有する（図２５から図３２）。そして、このハウジング１２０は、係止位置にある自らの係止体１２４を収容させる係止体収容室１２５を有する（図２５及び図３１）。係止体１２４は、ハウジング１２０にて、コネクタ挿抜方向に対する直交方向の一端と他端とに各々設ける（図２６から図２８、図３０及び図３２）。ここでは、コネクタ挿抜方向とそれぞれの端子収容室１２１の配列方向とに対する直交方向の一端と他端とに係止体１２４を設けている。係止体１２４は、コネクタ挿抜方向とそれぞれの端子収容室１２１の配列方向とに対する直交方向に存在している外壁１２０ａ，１２０ｂに１つずつ設ける（図２５及び図３０）。それぞれの係止体１２４は、実施形態の係止体２４と同じように、ハウジング１２０と一体になって成形されている。
【００５４】
係止体１２４は、係止位置で端子金具１０を係止させる係止部１２４ａを有している（図２６、図２８、図３０及び図３１）。その係止部１２４ａには、係止体１２４が係止位置のときに、収容完了位置の端子金具１０の第１被係止部１３よりも端子収容口１２３側で第１被係止部１３を係止させることによって、端子金具１０の端子収容口１２３側への相対移動を抑止させる。係止体１２４には、それぞれの端子収容室１２１の端子金具１０毎の係止部１２４ａが形成されている。
【００５５】
ここで、隣り合う連結対象の２つのハウジング１２０は、コネクタ挿抜方向とそれぞれの係止体１２４の配列方向とに対する直交方向に沿って連結させる。この２つのハウジング１２０の間には、その２つのハウジング１２０をコネクタ挿抜方向とそれぞれの係止体１２４の配列方向とに対する直交方向に沿って連結させるハウジング連結構造１３０を設けている（図２５、図２６、図２８及び図３０から図３２）。例えば、ここで示す連結対象の２つのハウジング１２０は、一方のハウジング１２０の外壁１２０ａの外壁面１２０ａ1と他方のハウジング１２０の外壁１２０ｂの外壁面１２０ｂ1とを接合面にして互いに連結させるべく形成されており（図２５）、互いの外壁面１２０ａ1，１２０ｂ1に沿わせ、かつ、コネクタ挿抜方向に対する直交方向に沿わせて連結させる。ハウジング連結構造１３０は、そのハウジング連結方向に沿うそれぞれのハウジング１２０の連結動作を可能にするものとして構成する。
【００５６】
ここで示すハウジング連結構造１３０は、隣り合う連結対象の２つのハウジング１２０の内の一方が有する第１連結部１３１と、その内の他方が有する第２連結部１３２と、を備える（図２５、図２６、図２８、図３０及び図３２）。このハウジング連結構造１３０は、その第１連結部１３１と第２連結部１３２とを繋ぎ合わせることによって、連結対象の２つのハウジング１２０を連結させ且つその互いの連結状態を保持させる。先に示したように、それぞれの分割コネクタ１０３においては、各々のハウジング１２０に同一形状のものを用いている。よって、ハウジング１２０には、第１連結部１３１と第２連結部１３２の双方を設けている。このハウジング１２０においては、第１連結部１３１を外壁１２０ａに２つ設け、第２連結部１３２を外壁１２０ｂに２つ設けている。よって、本変形例のハウジング連結構造１３０は、連結された２つのハウジング１２０の隣に別の連結対象のハウジング１２０を連結させることができるので、３つ以上のハウジング１２０の連結も可能にする。
【００５７】
第１連結部１３１は、外壁１２０ａの外壁面１２０ａ1から突出させ、かつ、その外壁面１２０ａ1に沿ってコネクタ挿抜方向に対する直交方向（ハウジング連結方向）に延在させた突起部である（図２５及び図３０から図３２）。また、第２連結部１３２は、外壁１２０ｂの外壁面１２０ｂ1から突出させ、かつ、その外壁面１２０ｂ1に沿ってコネクタ挿抜方向に対する直交方向（ハウジング連結方向）に延在させた突起部である（図２５及び図３０）。第１連結部１３１と第２連結部１３２は、その延在方向に対する直交断面がＬ字を成すものとして形成し、Ｌ字を成す互いの片部同士をコネクタ挿抜方向とそれぞれの係止体１２４の配列方向とで各々対向配置させる。よって、このハウジング連結構造１３０は、隣り合う連結対象の２つのハウジング１２０のその２方向での相対移動を抑制させることによって、その２つのハウジング１２０を連結状態のまま保持させる。
【００５８】
係止体１２４と係止体収容室１２５は、そのハウジング連結構造１３０を有すると共に、２つの端子収容室１２１の配列方向に沿い、かつ、その２つの端子収容室１２１の壁面を成す外壁１２０ａ，１２０ｂに各々設ける。隣り合う連結対象の２つのハウジング１２０は、それぞれに、その連結動作に連動して、自らのハウジング１２０の係止体１２４を自らの係止体収容室１２５に挿入させながら収容させる。そこで、係止体１２４は、実施形態の係止体２４と同じように、隣り合う連結対象の２つのハウジング１２０の連結動作に連動して、相手方のハウジング１２０に押動されながら非係止位置から係止位置へと変位させるものとして形成される。この例示の係止体１２４は、その２つのハウジング１２０の連結動作に連動して、相手方のハウジング１２０の係止体１２４に押動されながら非係止位置から係止位置へと変位させる。つまり、この例示の連結対象の２つのハウジング１２０の係止体１２４は、その２つのハウジング１２０の連結動作に連動して互いに押動されながら非係止位置から係止位置へと変位させるものとして形成されている。
【００５９】
この例示の係止体１２４は、その２つのハウジング１２０の連結動作に伴うハウジング連結方向の力を非係止位置から係止位置への変位方向の力に変換させる傾斜面１２４ｂを有する（図２５から図２７及び図３０から図３２）。係止体１２４は、その傾斜面１２４ｂをハウジング連結方向における両端に１つずつ設ける。隣り合う連結対象の２つのハウジング１２０の間において、押動対象となるそれぞれの係止体１２４の傾斜面１２４ｂは、その２つのハウジング１２０を連結させているときにハウジング連結方向で対向配置させ且つ当接させるものとして形成されている。よって、隣り合う連結対象の２つのハウジング１２０における非係止位置の係止体１２４においては、その２つのハウジング１２０を連結させ始めることで、互いに傾斜面１２４ｂ同士が接触して、互いに相手方のハウジング１２０からの押動力が加えられ始める。これにより、それぞれの係止体１２４は、回動軸１４１の軸周りに回動し始め、ハウジング１２０間の連結が完了したときに、係止位置へと変位する。
【００６０】
ハウジング１２０は、自らの端子収容室１２１に対して自らの係止体１２４を非係止位置と係止位置との間で回動させる回動構造１４０を有する（図２５及び図３１）。係止体１２４と回動構造１４０は、非係止位置の係止体１２４を外壁面１２０ａ1（外壁面１２０ｂ1）から突出させ、係止位置の係止体１２４の係止部１２４ａを端子収容室１２１に収容させるものとして形成する。ここで示す回動構造１４０は、コネクタ挿抜方向とそれぞれの係止体１２４の配列方向とに対して平行な軸であり、自らが回動対象とする係止体１２４を非係止位置と係止位置との間で回動させる回動軸１４１を有する（図２５及び図３１）。この例示では、回動構造１４０としてリビングヒンジを設け、このリビングヒンジを介してハウジング１２０と係止体１２４とが一体成形されている。尚、回動構造１４０は、ハウジング１２０と係止体１２４とを各々別の部品として用意する場合、例えば、ハウジング１２０と係止体１２４の内の一方に回動軸１４１を設け、かつ、その内の他方に回動軸１４１の軸受を設けて構成すればよい。
【００６１】
このハウジング１２０においては、コネクタ挿抜方向で端子挿入口１２２側に寄せて回動構造１４０を配置している。非係止位置の係止体１２４は、その回動構造１４０を起点にして、外壁面１２０ａ1（外壁面１２０ｂ1）に対する直交方向に向けて当該外壁面１２０ａ1（外壁面１２０ｂ1）よりも突出させる。
【００６２】
本変形例の係止体１２４は、その回動構造１４０側が固定端となる片持ちの可撓部１２４ｃを有する（図２５、図２６及び図３０から図３２）。その可撓部１２４ｃは、固定端から自由端に向けて片体状に延在させた可撓片部として形成され、かつ、コネクタ挿抜方向に対する交差方向に沿って弾性変形させ得るものとして形成される。この例示の可撓部１２４ｃは、自由端側よりも固定端側の厚みを徐々に薄くしている。２つの係止部１２４ａは、その可撓部１２４ｃの自由端に設け、その自由端から端子収容室１２１側に向けて突出させる。一方、２つの傾斜面１２４ｂは、可撓部１２４ｃの自由端で、かつ、２つの係止部１２４ａの突出方向に対して逆側に設ける。この係止体１２４は、回動構造１４０による回動動作と可撓部１２４ｃの弾性変形とに伴い非係止位置と係止位置との間で変位させる。
【００６３】
この例示の係止体１２４は、非係止位置のときに外壁１２０ａ（外壁１２０ｂ）に対して可撓部１２４ｃが突出状態となり、かつ、非係止位置のときに係止部１２４ａが少なくとも端子収容室１２１の外に配置された状態になるものとして形成される。そして、この例示の係止体１２４は、係止位置のときに可撓部１２４ｃが端子収容室１２１の中に入り込んで端子金具１０を係止させるものとして形成される。ここで、この例示の係止体収容室１２５は、それぞれの端子収容室１２１に連通させ、かつ、係止位置のときに可撓部１２４ｃを収容させるものとして形成されている。よって、係止体１２４においては、係止位置のときに係止部１２４ａが端子収容室１２１の中に入り込む。
【００６４】
以上示した本変形例のコネクタ１０１及びコネクタ付き電線１０２は、複数の分割コネクタ１０３をハウジング連結構造１３０で連結させ、その連結体を相手方コネクタ１９０に嵌合接続させる（図３３及び図３４）。この例示では、コネクタ１０１を相手方コネクタ１９０のハウジング１９２のコネクタ収容室１９２ａに挿入嵌合させることによって、そのコネクタ収容室１９２ａの複数の相手方端子金具１９１に端子金具１０を嵌合接続させる。
【００６５】
本変形例のコネクタ１０１及びコネクタ付き電線１０２においては、実施形態のコネクタ１及びコネクタ付き電線２と同じように、連結対象の２つのハウジング１２０を連結させるのと同時に、係止体１２４を非係止位置から係止位置まで変位させ、その係止体１２４によって、端子収容室１２１に収容されている端子金具１０を収容完了位置で係止させることができる。よって、本変形例のコネクタ１０１及びコネクタ付き電線１０２は、従来のものと比較して、ハウジング１２０への端子係止部品の組付け工程が不要になるので、組付け作業性を向上させることができる。更に、このコネクタ１０１及びコネクタ付き電線１０２は、従来のものと比較して、別部品として用意された端子係止部品の組付け忘れを防ぐこともできるので、安定した品質の確保が可能になる。更に、このコネクタ１０１及びコネクタ付き電線１０２は、ハウジング連結構造１３０によって３つ以上の分割コネクタ１０３を連結させることができるので、極数が５極以上の多極化を図ることができる。
【００６６】
ところで、本変形例の分割コネクタ１０３は、撚り対線（所謂ツイストペアケーブル）の一端と他端とに接続させるものであってもよい。ここで、従来は、対となる２つの端子金具の組み合わせが１つのハウジングに収容されるものであり、その１つのハウジングで複数組の撚り対線を形成しなければならないものが存在する。しかしながら、本変形例のコネクタ１０１及びコネクタ付き電線１０２においては、分割コネクタ１０３毎に撚り対線を形成した上で、複数の分割コネクタ１０３を連結させることができるので、そのような従来のものと比して、撚り対線を形成する際の作業を向上させることができる。
【００６７】
例えば、本変形例においては、２本の電線Ｗｅの一端を一方の分割コネクタ１０３のそれぞれの端子収容室１２１の収容完了位置に収容し、かつ、その２本の電線Ｗｅの他端を他方の分割コネクタ１０３のそれぞれの端子収容室１２１の収容完了位置に収容する（図３５）。そして、本変形例においては、一方の分割コネクタ１０３を固定治具Ｅ１に固定し、かつ、他方の分割コネクタ１０３を撚り機Ｅ２に設置する（図３６及び図３７）。その固定治具Ｅ１と撚り機Ｅ２には、ハウジング連結構造１３０の第１連結部１３１と第２連結部１３２に各々対応させたＬ字状の連結部ｅ１が設けられている（図３６）。よって、それぞれの分割コネクタ１０３は、それぞれの連結部ｅ１に第１連結部１３１と第２連結部１３２を挿入嵌合させながら設置される。また、固定治具Ｅ１と撚り機Ｅ２には、その挿入嵌合に連動して分割コネクタ１０３の係止体１２４を非係止位置から係止位置へと変位させる押動部ｅ２が設けられている（図３６）。よって、それぞれの分割コネクタ１０３は、固定治具Ｅ１や撚り機Ｅ２に設置されることによって、係止体１２４で端子金具１０を収容完了位置に保持させることができる。本変形例においては、この状態の撚り機Ｅ２で他方の分割コネクタ１０３を回転させ、２本の電線Ｗｅを撚りながら、この２本の電線Ｗｅによる撚り対線を形成する（図３８）。その後、本変形例においては、一方の分割コネクタ１０３を固定治具Ｅ１から取り外し、かつ、他方の分割コネクタ１０３を撚り機Ｅ２から取り外す（図３９）。それぞれの分割コネクタ１０３においては、固定治具Ｅ１や撚り機Ｅ２から取り外されることによって、係止体１２４が係止位置から非係止位置へと変位する。
［変形例２］
【００６８】
図４０から図４２の符号２０１は、本変形例のコネクタを示す。また、図４０から図４２の符号２０２は、電線Ｗｅの端末にコネクタ２０１が取り付けられた本変形例のコネクタ付き電線を示す。また、図４０から図４２の符号２０３は、本変形例の分割コネクタを示す。また、図４１及び図４２の符号２０４は、２つの分割コネクタ２０３が連結された本変形例の連結コネクタを示す。
【００６９】
コネクタ２０１は、実施形態のコネクタ１と同じように、複数の分割コネクタ２０３を備え、そのそれぞれの分割コネクタ２０３を連結させることによって一体化させたものである（図４０から図４２）。このコネクタ２０１においては、分割コネクタ２０３が端子金具とハウジングとを備えており、隣り合う分割コネクタ２０３のハウジング同士が連結される（図４０から図４２）。
【００７０】
このコネクタ２０１は、同一形状の複数の端子金具を備えるものであってもよく、異形状の端子金具を混在させたものであってもよい。この例示では、コネクタ２０１を成す全ての分割コネクタ２０３が同一形状の端子金具１０を備えている。
【００７１】
また、このコネクタ２０１は、同一形状の複数のハウジングを備えるものであってもよく、異形状のハウジングを混在させたものであってもよい。この例示では、コネクタ２０１を成す全ての分割コネクタ２０３が同一形状のハウジング２２０を備えている（図４０から図４２）。
【００７２】
ハウジング２２０は、合成樹脂等の絶縁性材料で成形される。このハウジング２２０は、実施形態のハウジング２０と同じように、端子金具１０を収容完了位置まで挿入させ、その収容完了位置に端子金具１０を収容させる端子収容室２２１を有する（図４０から図４４）。また、このハウジング２２０は、実施形態のハウジング２０と同じように、自らの端子収容室２２１の開口であり、相手方コネクタとの間のコネクタ挿抜方向における一端に形成され、相手方端子金具を自らの端子収容室２２１に挿入させる際に用いる端子挿入口２２２（図４０から図４４）と、自らの端子収容室２２１の別の開口であり、コネクタ挿抜方向における他端に形成され、接続状態の端子金具１０及び電線Ｗｅの端末を自らの端子収容室２２１に収容させる際に用いる端子収容口２２３（図４２）と、を有する。その端子収容口２２３は、実施形態の端子収容口２３と同じように、端末が端子金具１０の電線接続部１２に物理的且つ電気的に接続された電線Ｗｅを端子収容室２２１の外に引き出させる電線引出口としても利用される。
【００７３】
本変形例のコネクタ２０１及びコネクタ付き電線２０２において、ハウジング２２０は、実施形態のハウジング２０と同じように、端子収容室２２１を複数有する。その複数の端子収容室２２１は、コネクタ挿抜方向に対する直交方向に並べて配置する。この例示のハウジング２２０は、端子収容室２２１を２つ有している。
【００７４】
更に、このハウジング２２０は、実施形態のハウジング２０と同じように、自らの端子収容室２２１における収容完了位置の端子金具１０の係止が不能な非係止位置と、自らの端子収容室２２１における収容完了位置の端子金具１０の係止が可能な係止位置と、の間での変位を行い得る係止体２２４を有する（図４０及び図４２から図４９）。その係止体２２４は、ハウジング２２０の一部分としてハウジング２２０と一体になって成形されたものであってもよく、ハウジング２２０とは別の部品として合成樹脂等の絶縁性材料で成形されたものが、このハウジング２２０の一部分として組み付けられたものであってもよい。この例示では、ハウジング２２０と一体になって成形された係止体２２４を例として挙げている。
【００７５】
係止体２２４は、端子収容室２２１に対してコネクタ挿抜方向とそれぞれの端子収容室２２１の配列方向とに対する直交方向にスライドさせることによって、非係止位置と係止位置との間で変位させる。以下においては、その直交方向をスライド方向と称する。ハウジング２２０は、自らの端子収容室２２１に対して自らの係止体２２４を非係止位置と係止位置との間でスライドさせるスライド構造２２５を有する（図４０、図４１及び図４３から図４９）。
【００７６】
係止体２２４は、係止位置で端子金具１０を係止させる係止片２２４ａを有している（図４０及び図４２から図４９）。その係止片２２４ａは、スライド方向に並べられた第１片部２２４ａ1と第２片部２２４ａ2とを有する（図４２、図４６、図４８及び図４９）。この係止片２２４ａにおいては、その第１片部２２４ａ1と第２片部２２４ａ2の間にリビングヒンジ２２４ａ3が設けられており、そのリビングヒンジ２２４ａ3を介して第１片部２２４ａ1と第２片部２２４ａ2のスライド方向での相対的な位置を変えることができる（図４６、図４８及び図４９）。つまり、この係止片２２４ａは、そのリビングヒンジ２２４ａ3を介して変形させることができる。この係止片２２４ａは、係止体２２４が非係止位置のときに、リビングヒンジ２２４ａ3を介した第１片部２２４ａ1と第２片部２２４ａ2の成す角度が鈍角となり（図４６）、係止体２２４が係止位置のときに、リビングヒンジ２２４ａ3を介した第１片部２２４ａ1と第２片部２２４ａ2の成す角度が鋭角となる（図４９）。
【００７７】
この係止片２２４ａにおいては、係止体２２４が非係止位置のときに、第１片部２２４ａ1側をハウジング２２０の内方に収容させ、かつ、第２片部２２４ａ2側をハウジング２２０の外壁２２０ａの外壁面２２０ａ1から突出させる（図４０）。そして、この係止片２２４ａは、係止体２２４が非係止位置のときに、全体をハウジング２２０の内方に収容させる。この係止体２２４においては、端子金具１０の第１被係止部１３を係止させる第１係止部２２４ａ4を係止片２２４ａに設ける（図４２）。その第１係止部２２４ａ4は、実施形態の第１係止部２４ａと同様のものであり、係止体２２４が係止位置のときに、収容完了位置の端子金具１０の第１被係止部１３よりも端子収容口２２３側で第１被係止部１３を係止させる。ここでは、係止片２２４ａの端子挿入口２２２側の端面を第１係止部２２４ａ4として利用する。
【００７８】
この係止片２２４ａにおいては、第１片部２２４ａ1におけるリビングヒンジ２２４ａ3とは逆側の端部が第１リビングヒンジ２２４ｂを介してハウジング２２０の内方に連結されている（図４６、図４８及び図４９）。一方、この係止片２２４ａにおいては、第２片部２２４ａ2におけるリビングヒンジ２２４ａ3とは逆側の端部が第２リビングヒンジ２２４ｃを介して被押動壁２２４ｄに連結されている（図４６、図４８及び図４９）。この係止体２２４は、その係止片２２４ａと第１リビングヒンジ２２４ｂと第２リビングヒンジ２２４ｃの組み合わせを端子収容室２２１毎に有している。
【００７９】
被押動壁２２４ｄは、係止体２２４を非係止位置から係止位置へとスライドさせるための押動力が加えられる壁であり、外部から加えられたスライド方向の押動力を係止片２２４ａに作用させる。係止片２２４ａは、その押動力とリビングヒンジ２２４ａ3と第１リビングヒンジ２２４ｂと第２リビングヒンジ２２４ｃによって、非係止位置のときの形状から係止位置の形状に変形する。この例示の被押動壁２２４ｄは、矩形の平板状に形成されている。
【００８０】
ここで、隣り合う連結対象の２つのハウジング２２０は、コネクタ挿抜方向に対する直交方向に沿って連結させる。この２つのハウジング２２０の間には、その２つのハウジング２２０をコネクタ挿抜方向に対する直交方向に沿って連結させるハウジング連結構造２３０を設けている（図４０、図４１、図４３及び図４４）。ここで示す連結対象の２つのハウジング２２０は、それぞれの外壁２２０ａの外壁面２２０ａ1を接合面にして互いに連結させるべく形成されており（図４２）、互いの外壁面２２０ａ1に対する直交方向（つまり、係止体２２４のスライド方向）に沿って連結させる。ハウジング連結構造２３０は、そのハウジング連結方向に沿うそれぞれのハウジング２２０の連結動作を可能にするものとして構成する。
【００８１】
ここで示すハウジング連結構造２３０は、隣り合う連結対象の２つのハウジング２２０の内の一方が有する第１連結部２３１と、その内の他方が有する第２連結部２３２と、を備える（図４０、図４１、図４３及び図４４）。このハウジング連結構造２３０は、その第１連結部２３１と第２連結部２３２とを繋ぎ合わせることによって、連結対象の２つのハウジング２２０を連結させ且つその互いの連結状態を保持させる。先に示したように、それぞれの分割コネクタ２０３においては、各々のハウジング２２０に同一形状のものを用いている。よって、ハウジング２２０には、第１連結部２３１と第２連結部２３２の双方を設けている。このハウジング２２０においては、第１連結部２３１と第２連結部２３２を外壁２２０ａに設けている。
【００８２】
このハウジング連結構造２３０においては、第１連結部２３１を凸状の突起部として形成し、第２連結部２３２を凹状の溝部として形成している。第１連結部２３１は、外壁２２０ａの外壁面２２０ａ1から突出させた突起部である。この例示の第１連結部２３１は、その外壁面２２０ａ1から突出させた片持ちの軸部２３１ａと、この軸部２３１ａの自由端に設けた爪部２３１ｂと、を有している（図４３及び図４４）。ここで示す軸部２３１ａは、コネクタ挿抜方向に沿った弾性変形が可能な可撓性を有している。そして、爪部２３１ｂは、コネクタ挿抜方向に突出させている。第２連結部２３２は、その第１連結部２３１を嵌め込むことが可能な溝形状に形成している。この第２連結部２３２は、コネクタ挿抜方向と分割コネクタ２０３同士の連結方向とに対する直交方向で爪部２３１ｂを係止させる係止部として形成される。
【００８３】
このハウジング連結構造２３０は、その対になる第１連結部２３１と第２連結部２３２の組み合わせを複数備える。この例示では、その組み合わせを４組備えている。ハウジング２２０の外壁２２０ａにおいては、それぞれの端子収容室２２１の配列方向における一端側で且つコネクタ挿抜方向における両隅に第１連結部２３１を１つずつ形成している（図４０、図４１、図４３及び図４４）。また、このハウジング２２０の外壁２２０ａにおいては、それぞれの端子収容室２２１の配列方向における他端側で且つコネクタ挿抜方向における両隅に第２連結部２３２を１つずつ形成している（図４０、図４１及び図４３）。
【００８４】
隣り合う連結対象の２つのハウジング２２０においては、それぞれをハウジング連結方向に沿って連結させ始めることによって、各々の係止体２２４の被押動壁２２４ｄ同士を接触させる（図４５及び図４６）。この２つのハウジング２２０においては、その連結動作を続けることによって、係止体２２４の被押動壁２２４ｄに対して相手方の係止体２２４の被押動壁２２４ｄからスライド方向の押動力が加えられるので、各々の係止体２２４の係止片２２４ａが非係止位置の形状から係止位置の形状へと変形していく（図４７から図４９）。
【００８５】
ハウジング２２０においては、その係止体２２４の動きを定めるべくスライド構造２２５を構成する。スライド構造２２５は、被押動壁２２４ｄにおけるそれぞれの端子収容室２２１の配列方向の両端に各々設けた被ガイド部２２５ａと、被ガイド部２２５ａ毎に被ガイド部２２５ａをスライド方向に案内するガイド部２２５ｂと、を備える（図４０、図４１、図４３及び図４４）。この例示の被ガイド部２２５ａは、矩形の平板状に形成されている。また、この例示のガイド部２２５ｂは、その被ガイド部２２５ａを収容状態のままスライド方向に案内可能な溝形状のものとしてハウジング２２０に形成されている。このスライド構造２２５においては、係止体２２４を非係止位置から係止位置へとスライドさせるときに、そのスライド方向に沿ってガイド部２２５ｂが被ガイド部２２５ａを案内する。一方、このスライド構造２２５においては、係止体２２４を係止位置から非係止位置へとスライドさせるときに、そのスライド方向に沿ってガイド部２２５ｂが被ガイド部２２５ａを案内する。つまり、このスライド構造２２５は、２つのハウジング２２０の連結方向（ハウジング連結方向）に沿って自らがスライド対象とする係止体２２４を非係止位置から係止位置へとスライドさせ、かつ、そのハウジング連結方向とは逆向きに自らの係止体２２４を係止位置から非係止位置へとスライドさせるガイド構造である。
【００８６】
ところで、本変形例のハウジング２２０は、実施形態のハウジング２０と同じように、自らの端子収容室２２１に収容されている端子金具１０の第２被係止部１４よりも端子収容口２２３側で第２被係止部１４を係止する第２係止部２２６を有している（図４２）。その第２係止部２２６は、実施形態の第２係止部２６と同じように、可撓性を持たせたランスとして形成されている。
【００８７】
連結コネクタ２０４は、そのハウジング２２０同士を連結させた２つの分割コネクタ２０３から成るものである。本変形例のコネクタ２０１は、実施形態のコネクタ１と同じように、その１つの連結コネクタ２０４のみで構成されるものであってもよく、その連結コネクタ２０４を複数備える構成のものであってもよい。本変形例のコネクタ２０１においては、その何れの構成を採るにせよ、複数の連結コネクタ２０４を備えることができるように、隣り合う２つの連結コネクタ２０４を連結させるためのコネクタ連結構造２５０が設けられている（図４０から図４４及び図５０）。図５０には、そのコネクタ連結構造２５０によって２つの連結コネクタ２０４が連結された後の状態を示している。
【００８８】
そのコネクタ連結構造２５０は、実施形態のコネクタ連結構造５０と同様のものであり、第１連結部２５１と第２連結部２５２と、を備える（図４０から図４４及び図５０）。そして、ハウジング２２０には、その第１連結部２５１と第２連結部２５２の双方を設けている。その第１連結部２５１と第２連結部２５２は、ハウジング２２０にて、コネクタ挿抜方向に対する直交方向で外壁２２０ａとは逆側の外壁２２０ｂに設けている（図４０及び図５０）。よって、第１連結部２５１は、外壁２２０ｂの外壁面２２０ｂ1から突出させた突起部であり、実施形態の第１連結部５１と同様の形状のものとして形成されている（図４０から図４４及び図５０）。また、第２連結部２５２は、外壁２２０ｂの外壁面２２０ｂ1を凹ませた溝部であり、実施形態の第２連結部５２と同様の形状のものとして形成されている（図４０から図４４及び図５０）。このコネクタ連結構造２５０は、その対になる第１連結部２５１と第２連結部２５２の組み合わせを複数備える。この例示では、その組み合わせを４組備えている。ハウジング２２０の外壁２２０ｂにおいては、第１連結部２５１と第２連結部２５２の連結方向における一端側で且つコネクタ挿抜方向における両隅に第１連結部２５１を１つずつ形成している（図４０、図４１、図４３、図４４及び図５０）。また、このハウジング２２０の外壁２２０ｂにおいては、その連結方向における他端側で且つコネクタ挿抜方向における両隅に第２連結部２５２を１つずつ形成している（図４０、図４１、図４３、図４４及び図５０）。
【００８９】
また、本変形例のコネクタ２０１においては、そのコネクタ連結構造２５０に替えてハウジング連結構造２３０を外壁２２０ｂに設け、そのハウジング連結構造２３０をコネクタ連結構造として利用してもよい（図５１）。その外壁２２０ｂにおいては、それぞれの端子収容室２２１の配列方向における一端側で且つコネクタ挿抜方向における両隅に第１連結部２３１を１つずつ形成している。また、その外壁２２０ｂにおいては、それぞれの端子収容室２２１の配列方向における他端側で且つコネクタ挿抜方向における両隅に第２連結部２３２を１つずつ形成している。
【００９０】
以上示したように、本変形例のコネクタ２０１及びコネクタ付き電線２０２においては、実施形態のコネクタ１及びコネクタ付き電線２と同じように、連結対象の２つのハウジング２２０を連結させるのと同時に、係止体２２４を非係止位置から係止位置まで変位させ、その係止体２２４によって、端子収容室２２１に収容されている端子金具１０を収容完了位置で係止させることができる。よって、本変形例のコネクタ２０１及びコネクタ付き電線２０２は、従来のものと比較して、ハウジング２２０への端子係止部品の組付け工程が不要になるので、組付け作業性を向上させることができる。更に、このコネクタ２０１及びコネクタ付き電線２０２は、従来のものと比較して、別部品として用意された端子係止部品の組付け忘れを防ぐこともできるので、安定した品質の確保が可能になる。更に、このコネクタ２０１及びコネクタ付き電線２０２は、コネクタ連結構造２５０によって隣り合う２つの連結コネクタ２０４を連結させることができるので、又は、ハウジング連結構造２３０によって３つ以上の分割コネクタ２０３を連結させることができるので、極数が５極以上の多極化を図ることができる。
【符号の説明】
【００９１】
１，１０１，２０１  コネクタ
２，１０２，２０２  コネクタ付き電線
３，１０３，２０３  分割コネクタ
３Ａ  第１分割コネクタ
３Ｂ  第２分割コネクタ
４，１０４，２０４  連結コネクタ
１０  端子金具
２０，１２０，２２０  ハウジング
２０Ａ  第１ハウジング
２０Ｂ  第２ハウジング
２１，１２１，２２１  端子収容室
２２，１２２，２２２  端子挿入口
２３，１２３，２２３  端子収容口
２４，１２４，２２４  係止体
３０，１３０，２３０  ハウジング連結構造
４０，１４０  回動構造
４１，１４１  回動軸
５０，２５０  コネクタ連結構造
５１，２５１  第１連結部
５２，２５２  第２連結部
２２５  スライド構造
Ｗｅ  電線
【図１】
2020202035.tif 000003
【図２】
2020202035.tif 000004
【図３】
2020202035.tif 000005
【図４】
2020202035.tif 000006
【図５】
2020202035.tif 000007
【図６】
2020202035.tif 000008
【図７】
2020202035.tif 000009
【図８】
2020202035.tif 000010
【図９】
2020202035.tif 000011
【図１０】
2020202035.tif 000012
【図１１】
2020202035.tif 000013
【図１２】
2020202035.tif 000014
【図１３】
2020202035.tif 000015
【図１４】
2020202035.tif 000016
【図１５】
2020202035.tif 000017
【図１６】
2020202035.tif 000018
【図１７】
2020202035.tif 000019
【図１８】
2020202035.tif 000020
【図１９】
2020202035.tif 000021
【図２０】
2020202035.tif 000022
【図２１】
2020202035.tif 000023
【図２２】
2020202035.tif 000024
【図２３】
2020202035.tif 000025
【図２４】
2020202035.tif 000026
【図２５】
2020202035.tif 000027
【図２６】
2020202035.tif 000028
【図２７】
2020202035.tif 000029
【図２８】
2020202035.tif 000030
【図２９】
2020202035.tif 000031
【図３０】
2020202035.tif 000032
【図３１】
2020202035.tif 000033
【図３２】
2020202035.tif 000034
【図３３】
2020202035.tif 000035
【図３４】
2020202035.tif 000036
【図３５】
2020202035.tif 000037
【図３６】
2020202035.tif 000038
【図３７】
2020202035.tif 000039
【図３８】
2020202035.tif 000040
【図３９】
2020202035.tif 000041
【図４０】
2020202035.tif 000042
【図４１】
2020202035.tif 000043
【図４２】
2020202035.tif 000044
【図４３】
2020202035.tif 000045
【図４４】
2020202035.tif 000046
【図４５】
2020202035.tif 000047
【図４６】
2020202035.tif 000048
【図４７】
2020202035.tif 000049
【図４８】
2020202035.tif 000050
【図４９】
2020202035.tif 000051
【図５０】
2020202035.tif 000052
【図５１】
2020202035.tif 000053